(57)【要約】【課題】簡易な構成で、放射線の照射タイミングと同期させて放射線画像を生成することができるようにする。【解決手段】撮影装置３４において、線源制御部１３４によって、放射線源１３０による放射線の照射を制御し、音出力制御部１３８によって、放射線源１３０による放射線の照射タイミングに応じて、超音波を出力するようにスピーカ１３６を制御する。電子カセッテ３２において、同期音検出部９７によって、音入力部９５から入力された超音波を検出し、超音波が検出されると、カセッテ制御部９２によって、電荷を蓄積させるように放射線検出器６０を制御する。【選択図】図４
2010046145.tif 000002
【特許請求の範囲】
【請求項１】
外部から照射された放射線量に応じた電荷を蓄積することにより、放射線画像を示す画像情報を生成する電子回路と、
放射線照射源による放射線の照射タイミングに応じて入力された音を検出する音検出手段と、
前記音検出手段によって検出された音に応じて、前記電荷を蓄積させるように前記電子回路を制御する制御手段と、
を含む可搬型放射線画像形成装置。
【請求項２】
請求項１記載の可搬型放射線画像形成装置と、
放射線を照射する放射線照射源、
前記放射線照射源による放射線の照射を制御する照射制御手段、
音を出力する音出力手段、及び
前記放射線照射源による放射線の照射タイミングに応じて、前記音を出力するように前記音出力手段を制御する音出力制御手段
を含む撮影装置と、
を含む放射線撮影システム。
【請求項３】
前記音出力制御手段は、前記放射線照射源による放射線の照射が開始される前に、第１の音を出力するように前記音出力手段を制御し、前記放射線照射源による放射線の照射が開始されるときに、第２の音を出力するように前記音出力手段を制御し、
前記制御手段は、前記音検出手段によって前記第１の音が検出されたときに、蓄積された電荷を放出するように前記電子回路を制御し、前記音検出手段によって前記第２の音が検出されたときに、前記電荷の蓄積を開始するように前記電子回路を制御する請求項２記載の放射線撮影システム。
【請求項４】
前記第１の音と前記第２の音とは、音の周波数帯域が異なる請求項３記載の放射線撮影システム。
【請求項５】
前記音出力手段は、前記音としてパルス音を出力し、
前記第１の音と第２の音とは、パルス周期が異なる請求項３記載の放射線撮影システム。
【請求項６】
前記音出力制御手段は、前記第１の音を出力させるとき及び前記第２の音を出力させるときの間は、前記音出力手段から音を出力させない請求項３記載の放射線撮影システム。
【請求項７】
前記音出力制御手段は、前記第１の音を出力させるとき及び前記第２の音を出力させるときの間は、前記第１の音及び前記第２の音と周波数帯域が異なる音を出力するように前記音出力手段を制御する請求項３記載の放射線撮影システム。
【請求項８】
外部から照射された放射線量に応じた電荷を蓄積することにより、放射線画像を示す画像情報を生成する電子回路と、
音を出力する音出力手段と、
前記電子回路による前記電荷の蓄積を制御する制御手段と、
前記電子回路による前記電荷の蓄積タイミングに応じて、前記音を出力するように前記音出力手段を制御する音出力制御手段と
を含む可搬型放射線画像形成装置。
【請求項９】
請求項８記載の可搬型放射線画像形成装置と、
放射線を照射する放射線照射源、
入力された音を検出する音検出手段、及び
前記音検出手段によって検出された音に応じて、放射線を照射させるように前記放射線照射源を制御する照射制御手段
を含む撮影装置と、
を含む放射線撮影システム。
【請求項１０】
前記音出力手段は、可聴帯域とは異なる周波数帯域の音を出力する請求項２〜７、９の何れか１項記載の放射線撮影システム。
【請求項１１】
前記音出力手段は、人の肉声の周波数帯域とは異なる周波数帯域の音を出力する請求項２〜７、９の何れか１項記載の放射線撮影システム。
【請求項１２】
前記音出力手段は、変調した音を出力し、
前記音検出手段は、入力された音に対して復調を行ない、復調された音を検出する請求項２〜７、９〜１１の何れか１項記載の放射線撮影システム。
【請求項１３】
外部から照射された放射線量に応じた電荷を蓄積することにより、放射線画像を示す画像情報を生成する電子回路と、
放射線照射源による放射線の照射タイミングに応じて発光された光を受光する受光手段と、
前記受光手段によって受光された光に応じて、前記電荷を蓄積させるように前記電子回路を制御する電子回路制御手段と、
を含む可搬型放射線画像形成装置。
【請求項１４】
請求項１３記載の可搬型放射線画像形成装置と、
放射線を照射する放射線照射源、
前記放射線照射源による放射線の照射を制御する照射制御手段、
発光する発光源、及び
前記放射線照射源による放射線の照射タイミングに応じて、前記発光源を発光させる発光制御手段
を含む撮影装置と、
を含む放射線撮影システム。
【請求項１５】
前記発光制御手段は、前記放射線照射源により放射線が照射されている期間、前記発光源を発光させ、
前記電子回路制御手段は、前記受光手段によって光が受光されている期間、前記電荷を蓄積させるように前記電子回路を制御する請求項１４記載の放射線撮影システム。
【請求項１６】
前記発光源を、前記放射線照射源の照射面の周辺に設け、
前記受光手段を、前記発光源の位置に対応する位置に設けた請求項１４又は１５記載の放射線撮影システム。
【請求項１７】
外部から照射された放射線量に応じた電荷を蓄積することにより、放射線画像を示す画像情報を生成する電子回路と、
前記電荷を蓄積させるように前記電子回路を制御する電子回路制御手段と、
発光する発光源と、
前記電子回路による電荷の蓄積タイミングに応じて、前記発光源を発光させる発光制御手段と、
を含む可搬型放射線画像形成装置。
【請求項１８】
請求項１７記載の可搬型放射線画像形成装置と、
放射線を照射する放射線照射源、
光を受光する受光手段、及び
前記受光手段によって受光された光に応じて、放射線を照射させるように前記放射線照射源を制御する照射制御手段
を含む撮影装置と、
を含む放射線撮影システム。
【請求項１９】
前記発光源は、可視光又は赤外光を発光する請求項１４〜１６、１８の何れか１項記載の放射線撮影システム。
【請求項２０】
前記可搬型放射線画像形成装置は、外部と制御情報を送受信するための無線通信手段を更に含む請求項２〜７、９〜１２、１４〜１６、１８、１９の何れか１項記載の放射線撮影システム。
【発明の詳細な説明】
【技術分野】
【０００１】
本発明は、可搬型放射線画像形成装置及び放射線撮影システムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）が実用化されており、このＦＰＤ等を用いて照射された放射線により表わされる放射線画像を示す画像情報を生成し、生成した画像情報を記憶する可搬型放射線画像形成装置（以下、「電子カセッテ」ともいう。）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
ここで、電子カセッテは、放射線画像の撮影を行う際、放射線が照射されるタイミングと同期させて、放射線画像を示す画像情報を生成する必要がある。
【０００５】
放射線が照射されるタイミングと同期させるための技術として、シンチレータからの出力（Ｘ線受光信号の出力レベル）がある値以上になったら、タイミングパルスを発生させる回路を内蔵し、出力レベルからＸ線曝射が発生していると判断すると、制御を実施する放射線検出器が知られている（特許文献１）。また、Ｘ線検出器を設置し、Ｘ線パルスを検出して、検出されたＸ線パルスから予測制御を実施する放射線撮影装置が知られている（特許文献２）。
【特許文献１】特開２００３−２８９６１号公報
【特許文献２】特開２００３−３０７５６９号公報
【発明の開示】
【発明が解決しようとする課題】
【０００６】
しかしながら、上記の特許文献１、２に記載の技術では、出力レベル判定回路やＸ線検出器が必要となるため、装置構成が複雑になってしまう、という問題がある。
【０００７】
本発明は上記問題点を解決するために成されたものであり、簡易な構成で、放射線の照射タイミングと同期させて放射線画像を示す画像情報を生成することができる可搬型放射線画像形成装置及び放射線撮影システムを提供することを目的とする。
【課題を解決するための手段】
【０００８】
上記目的を達成するために、第１の発明に係る可搬型放射線画像形成装置は、外部から照射された放射線量に応じた電荷を蓄積することにより、放射線画像を示す画像情報を生成する電子回路と、放射線照射源による放射線の照射タイミングに応じて入力された音を検出する音検出手段と、前記音検出手段によって検出された音に応じて、前記電荷を蓄積させるように前記電子回路を制御する制御手段とを含んで構成されている。
【０００９】
第１の発明に係る可搬型放射線画像形成装置によれば、音検出手段によって、放射線照射源による放射線の照射タイミングに応じて入力された音を検出し、制御手段によって、音検出手段によって検出された音に応じて、電荷を蓄積させるように電子回路を制御する。そして、電子回路によって、外部から照射された放射線量に応じた電荷を蓄積することにより、放射線画像を示す画像情報を生成する。
【００１０】
このように、放射線の照射タイミングに応じて入力される音に応じて、電荷を蓄積させることにより、簡易な構成で、放射線の照射タイミングと同期させて放射線画像を示す画像情報を生成することができる。また、人体の影に隠れていても、放射線の照射タイミングと同期させて放射線画像を示す画像情報を生成することができる。
【００１１】
第２の発明に係る放射線撮影システムは、上記第１の発明に係る可搬型放射線画像形成装置と、放射線を照射する放射線照射源、前記放射線照射源による放射線の照射を制御する照射制御手段、音を出力する音出力手段、及び前記放射線照射源による放射線の照射タイミングに応じて、前記音を出力するように前記音出力手段を制御する音出力制御手段を含む撮影装置と、を含んで構成されている。
【００１２】
第２の発明に係る放射線撮影システムによれば、撮影装置において、音出力制御手段によって、放射線照射源による放射線の照射タイミングに応じて、音を出力するように音出力手段を制御して、音出力手段によって音を出力し、また、照射制御手段によって、放射線照射源による放射線の照射を制御する。
【００１３】
また、可搬型放射線画像形成装置において、音検出手段によって、放射線照射源による放射線の照射タイミングに応じて入力された音を検出し、制御手段によって、音検出手段によって検出された音に応じて、電荷を蓄積させるように電子回路を制御する。そして、電子回路によって、外部から照射された放射線量に応じた電荷を蓄積することにより、放射線画像を示す画像情報を生成する。
【００１４】
このように、放射線の照射タイミングに応じて入力される音に応じて、電荷を蓄積させることにより、簡易な構成で、放射線の照射タイミングと同期させて放射線画像を示す画像情報を生成することができる。また、可搬型放射線画像形成装置が人体の影に隠れていても、放射線の照射タイミングと同期させて放射線画像を示す画像情報を生成することができる。
【００１５】
第２の発明に係る音出力制御手段は、放射線照射源による放射線の照射が開始される前に、第１の音を出力するように音出力手段を制御し、放射線照射源による放射線の照射が開始されるときに、第２の音を出力するように前記音出力手段を制御し、制御手段は、音検出手段によって第１の音が検出されたときに、蓄積された電荷を放出するように電子回路を制御し、音検出手段によって第２の音が検出されたときに、電荷の蓄積を開始するように電子回路を制御することができる。
【００１６】
上記の第１の音と前記第２の音とは、音の周波数帯域が異なるようにすることができる。これによって、第１の音と第２の音とを区別することができる。
【００１７】
上記の音出力手段は、音としてパルス音を出力し、第１の音と第２の音とは、パルス周期が異なるようにすることができる。これによって、第１の音と第２の音とを区別することができる。
【００１８】
上記の音出力制御手段は、第１の音を出力させるとき及び第２の音を出力させるときの間は、音出力手段から音を出力させないようにすることができる。これによって、第１の音と第２の音とを区別することができる。
【００１９】
上記の音出力制御手段は、第１の音を出力させるとき及び第２の音を出力させるときの間は、第１の音及び第２の音と周波数帯域が異なる音を出力するように音出力手段を制御することができる。これによって、第１の音と第２の音とを区別することができる。
【００２０】
第３の発明に係る可搬型放射線画像形成装置は、外部から照射された放射線量に応じた電荷を蓄積することにより、放射線画像を示す画像情報を生成する電子回路と、音を出力する音出力手段と、前記電子回路による前記電荷の蓄積を制御する制御手段と、前記電子回路による前記電荷の蓄積タイミングに応じて、前記音を出力するように前記音出力手段を制御する音出力制御手段とを含んで構成されている。
【００２１】
第３の発明に係る可搬型放射線画像形成装置によれば、制御手段によって、電子回路による電荷の蓄積を制御し、音出力制御手段によって、電子回路による電荷の蓄積タイミングに応じて、音を出力するように音出力手段を制御する。そして、音出力手段によって音を出力し、電子回路によって、外部から照射された放射線量に応じた電荷を蓄積することにより、放射線画像を示す画像情報を生成する。
【００２２】
このように、電荷の蓄積タイミングに応じて、音を出力することにより、簡易な構成で、放射線の照射タイミングと同期させて放射線画像を示す画像情報を生成することができる。また、人体の影に隠れていても、放射線の照射タイミングと同期させて放射線画像を示す画像情報を生成することができる。
【００２３】
第４の発明に係る放射線撮影システムは、上記第３の発明に係る可搬型放射線画像形成装置と、放射線を照射する放射線照射源、入力された音を検出する音検出手段、及び前記音検出手段によって検出された音に応じて、放射線を照射させるように前記放射線照射源を制御する照射制御手段を含む撮影装置と、を含んで構成されている。
【００２４】
第４の発明に係る放射線撮影システムによれば、可搬型放射線画像形成装置において、制御手段によって、電子回路による電荷の蓄積を制御し、音出力制御手段によって、電子回路による電荷の蓄積タイミングに応じて、音を出力するように音出力手段を制御する。そして、音出力手段によって音を出力し、電子回路によって、外部から照射された放射線量に応じた電荷を蓄積することにより、放射線画像を示す画像情報を生成する。
【００２５】
また、撮影装置において、音検出手段によって、入力された音を検出し、照射制御手段によって、音検出手段によって検出された音に応じて、放射線を照射させるように放射線照射源を制御する。そして、放射線照射源によって放射線を照射する。
【００２６】
このように、電荷の蓄積タイミングに応じて、音を出力することにより、簡易な構成で、放射線の照射タイミングと同期させて放射線画像を示す画像情報を生成することができる。また、可搬型放射線画像形成装置が人体の影に隠れていても、放射線の照射タイミングと同期させて放射線画像を示す画像情報を生成することができる。
【００２７】
上記の音出力手段は、可聴帯域とは異なる周波数帯域の音を出力することができる。これによって、可聴帯域の音を誤って検出することを防止することができる。
【００２８】
上記の音出力手段は、人の肉声の周波数帯域とは異なる周波数帯域の音を出力することができる。これによって、肉声を誤って検出することを防止することができる。
【００２９】
上記の音出力手段は、変調した音を出力し、音検出手段は、入力された音に対して復調を行ない、復調された音を検出することができる。これによって、他の音を誤って検出することを防止することができる。
【００３０】
第５の発明に係る可搬型放射線画像形成装置は、外部から照射された放射線量に応じた電荷を蓄積することにより、放射線画像を示す画像情報を生成する電子回路と、放射線照射源による放射線の照射タイミングに応じて発光された光を受光する受光手段と、前記受光手段によって受光された光に応じて、前記電荷を蓄積させるように前記電子回路を制御する電子回路制御手段とを含んで構成されている。
【００３１】
第５の発明に係る可搬型放射線画像形成装置によれば、受光手段によって、放射線照射源による放射線の照射タイミングに応じて発光された光を受光し、電子回路制御手段によって、受光手段によって受光された光に応じて、電荷を蓄積させるように電子回路を制御する。そして、電子回路によって、外部から照射された放射線量に応じた電荷を蓄積することにより、放射線画像を示す画像情報を生成する。
【００３２】
このように、放射線の照射タイミングに応じて受光される光に応じて、電荷を蓄積させることにより、簡易な構成で、放射線の照射タイミングと同期させて放射線画像を示す画像情報を生成することができる。
【００３３】
第６の発明に係る放射線撮影システムは、上記第５の発明に係る可搬型放射線画像形成装置と、放射線を照射する放射線照射源、前記放射線照射源による放射線の照射を制御する照射制御手段、発光する発光源、及び前記放射線照射源による放射線の照射タイミングに応じて、前記発光源を発光させる発光制御手段を含む撮影装置と、を含んで構成されている。
【００３４】
第６の発明に係る放射線撮影システムによれば、撮影装置において、照射制御手段によって、放射線照射源による放射線の照射を制御し、発光制御手段によって、放射線照射源による放射線の照射タイミングに応じて、発光源を発光させる。そして、放射線照射源によって放射線を照射する。
【００３５】
また、可搬型放射線画像形成装置において、受光手段によって、放射線照射源による放射線の照射タイミングに応じて発光された光を受光し、電子回路制御手段によって、受光手段によって受光された光に応じて、電荷を蓄積させるように電子回路を制御する。そして、電子回路によって、外部から照射された放射線量に応じた電荷を蓄積することにより、放射線画像を示す画像情報を生成する。
【００３６】
このように、放射線の照射タイミングに応じて受光される光に応じて、電荷を蓄積させることにより、簡易な構成で、放射線の照射タイミングと同期させて放射線画像を示す画像情報を生成することができる。
【００３７】
第６の発明に係る発光制御手段は、放射線照射源により放射線が照射されている期間、発光源を発光させ、電子回路制御手段は、受光手段によって光が受光されている期間、電荷を蓄積させるように電子回路を制御することができる。
【００３８】
第６の発明に係る発光源を、放射線照射源の照射面の周辺に設け、受光手段を、発光源の位置に対応する位置に設けることができる。
【００３９】
第７の発明に係る可搬型放射線画像形成装置は、外部から照射された放射線量に応じた電荷を蓄積することにより、放射線画像を示す画像情報を生成する電子回路と、前記電荷を蓄積させるように前記電子回路を制御する電子回路制御手段と、発光する発光源と、前記電子回路による電荷の蓄積タイミングに応じて、前記発光源を発光させる発光制御手段とを含んで構成されている。
【００４０】
第７の発明に係る可搬型放射線画像形成装置によれば、発光制御手段によって、電子回路による電荷の蓄積タイミングに応じて、前記発光源を発光させ、電子回路制御手段によって、電荷を蓄積させるように電子回路を制御する。そして、電子回路によって、外部から照射された放射線量に応じた電荷を蓄積することにより、放射線画像を示す画像情報を生成する。
【００４１】
このように、電荷の蓄積タイミングに応じて、発光源を発光させることにより、簡易な構成で、放射線の照射タイミングと同期させて放射線画像を示す画像情報を生成することができる。
【００４２】
第８の発明に係る放射線撮影システムは、上記第７の発明に係る可搬型放射線画像形成装置と、放射線を照射する放射線照射源、光を受光する受光手段、及び前記受光手段によって受光された光に応じて、放射線を照射させるように前記放射線照射源を制御する照射制御手段を含む撮影装置と、を含んで構成されている。
【００４３】
第８の発明に係る放射線撮影システムによれば、可搬型放射線画像形成装置において、発光制御手段によって、電子回路による電荷の蓄積タイミングに応じて、前記発光源を発光させ、電子回路制御手段によって、電荷を蓄積させるように電子回路を制御する。そして、電子回路によって、外部から照射された放射線量に応じた電荷を蓄積することにより、放射線画像を示す画像情報を生成する。
【００４４】
また、撮影装置において、受光手段によって光を受光し、照射制御手段によって、受光手段によって受光された光に応じて、放射線を照射させるように放射線照射源を制御する。そして、放射線照射源によって放射線を照射する。
【００４５】
このように、電荷の蓄積タイミングに応じて、発光源を発光させることにより、簡易な構成で、放射線の照射タイミングと同期させて放射線画像を示す画像情報を生成することができる。
【００４６】
上記の発光源は、可視光又は赤外光を発光することができる。
【００４７】
上記の可搬型放射線画像形成装置は、外部と制御情報を送受信するための無線通信手段を更に含むことができる。この場合、無線通信における制御情報の送受信の遅れが発生しても、放射線の照射タイミングと同期させて放射線画像を示す画像情報を生成することができる。
【発明の効果】
【００４８】
本発明に係る可搬型放射線画像形成装置及び放射線撮影システムによれば、簡易な構成で、放射線の照射タイミングと同期させて放射線画像を示す画像情報を生成することができる、という効果が得られる。
【発明を実施するための最良の形態】
【００４９】
以下、図面を参照して本発明を実施するための最良の形態について詳細に説明する。
【００５０】
まず、第１の実施の形態に係る放射線情報システム１０の構成について説明する。図１には、第１の実施の形態に係る放射線情報システム１０（以下、「ＲＩＳ１０」（ＲＩＳ：Radiology Information System）とも称する。）の各構成要素を示すブロック図が示されている。
【００５１】
ＲＩＳ１０は、放射線科部門内における、診療予約、診断記録等の情報管理を行うためのシステムであり、病院情報システム（ＨＩＳ：Hospital Information System）の一部を構成する。
【００５２】
ＲＩＳ１０は、複数の撮影依頼入力端末１２（以下、「入力端末１２」とも称する。）と、ＲＩＳサーバ１４と、複数の放射線画像撮影システム１８（以下、「撮影システム１８」とも称する。）と、を含んで構成されている。
【００５３】
ＲＩＳサーバ１４は、ＲＩＳ１０全体を管理するものであり、ＬＡＮ（Local Area Network）ケーブル２０又は無線ＬＡＮ２２により、各入力端末１２及び撮影システム１８と相互通信が可能に構成されている。また、ＲＩＳサーバ１４は、ＨＩＳ全体を管理するＨＩＳサーバ２４に接続されている。
【００５４】
入力端末１２は、医師２６（図２参照。）や放射線技師が、診断情報や施設予約の入力・閲覧をするためのものであり、放射線画像の撮影依頼（撮影予約）もこの入力端末１２からなされる。各入力端末１２は、表示装置付きのパーソナルコンピュータから構成され、ＲＩＳサーバ１４とＬＡＮにより接続されて相互通信が可能となっている。
【００５５】
ＲＩＳサーバ１４は、各入力端末１２からの撮影依頼を受け付け、撮影システム１８における放射線画像の撮影スケジュールを管理するものであり、データベース２８を含んで構成されている。
【００５６】
データベース２８は、患者３０（図２参照。）の属性情報（氏名、性別、生年月日、年齢、血液、患者ＩＤ等）、病歴、受診歴、過去に撮影した放射線画像等、患者３０に関する情報と、撮影システム１８の電子カセッテ３２の識別番号、型式、サイズ、感度、使用可能な撮影部位（対応可能な撮影依頼の内容）、使用開始年月日、使用回数等、電子カセッテ３２に関する情報とを含んで構成されている。
【００５７】
撮影システム１８は、ＲＩＳサーバ１４からの指示に応じて、医師２６や放射線技師の操作により放射線画像の撮影を行う。撮影システム１８は、撮影条件に従った放射線量からなる放射線Ｘを被写体に照射する撮影装置３４と、患者３０を透過した放射線Ｘを検出し、放射線画像情報に変換する放射線検出器６０（図３参照。）を内蔵する電子カセッテ３２と、放射線検出器６０によって検出された放射線Ｘに基づく放射線画像を表示する表示装置３６と、電子カセッテ３２に内蔵されるバッテリを充電するクレードル４０と、電子カセッテ３２、撮影装置３４、表示装置３６、及びクレードル４０を制御するコンソール４２と、を備える。
【００５８】
図２には、本実施の形態に係る撮影システム１８を配置した様子の一例として、撮影システム１８が撮影室としての手術室４４内に設置された様子が示されている。本実施の形態に係る撮影システム１８では、電子カセッテ３２とコンソール４２との間では、無線通信による信号の送受信が行われる。撮影装置３４及び表示装置３６の各々と、コンソール４２とをケーブルで接続して有線通信によって各種情報の送受信を行うが、図２では、各機器間を接続するケーブルを省略している。
【００５９】
図２の手術室４４では、撮影システム１８に加えて、患者３０が横臥する手術台４６が配置されると共に、医師２６が手術に使用する各種器具が載置される器具台４８が手術台４６の側部に配置される。また、手術台４６の周りには、麻酔器、吸引器、心電計、血圧計等、手術に必要な様々な機器が配置される（これらの機器は、図２では省略されている。）。
【００６０】
撮影装置３４は、自在アーム５２に連結され、患者３０の撮影部位に応じた所望の位置に移動可能であると共に、医師２６による手術の邪魔とならない位置に待避可能である。同様に、表示装置３６は、自在アーム５２に連結され、撮影された放射線画像を医師２６が容易に確認できる位置に移動可能である。
【００６１】
クレードル４０には、電子カセッテ３２を収納可能な収容部４０Ａが形成されている。
【００６２】
電子カセッテ３２は、待機時、クレードル４０の収容部４０Ａに収納され、内蔵されるバッテリが充電され、放射線画像の撮影時、クレードル４０から取り出されて患者３０の撮影部位に配置される。
【００６３】
なお、電子カセッテ３２は、手術室４４で使用される場合に限られるものではなく、例えば、検診や病院内での回診にも適用することができる。
【００６４】
図３には、第１の実施の形態に係る電子カセッテ３２の内部構成が示されている。電子カセッテ３２は、放射線Ｘを透過させる材料からなる筐体５４を備えており、防水性、密閉性を有する構造とされている。電子カセッテ３２は、手術室４４等で使用されるとき、血液やその他の雑菌が付着するおそれがある。そこで、電子カセッテ３２を防水性、密閉性を有する構造とし、必要に応じて殺菌洗浄することにより、１つの電子カセッテ３２を繰り返し使用することができる。筐体５４の内部には、放射線Ｘが照射される筐体５４の照射面５６側から、患者３０による放射線Ｘの散乱線を除去するグリッド５８、患者３０を透過した放射線Ｘを検出する放射線検出器６０、及び放射線Ｘのバック散乱線を吸収する鉛板６２が順に配設される。なお、筐体５４の照射面５６をグリッド５８として構成してもよい。
【００６５】
また、筐体５４の内部の一端側には、マイクロコンピュータを含む各種回路及び充電可能な二次電池を収容するケース３１が配置されている。放射線検出器６０及び各種回路は、ケース３１に配置された二次電池から供給される電力によって作動する。ケース３１内部に収容された各種回路が放射線Ｘの照射に伴って損傷することを回避するため、ケース３１の照射面５６側には鉛板等を配設しておくことが望ましい。
【００６６】
図４には、本実施の形態に係る放射線画像撮影システム１８の詳細な構成を示すブロック図が示されている。
【００６７】
撮影装置３４には、コンソール４２と通信を行うための接続端子３４Ａが設けられている。コンソール４２には、撮影装置３４と通信を行うための接続端子４２Ａ、及び表示装置３６へ画像信号を出力するための接続端子４２Ｂが設けられている。
【００６８】
撮影装置３４は通信ケーブル３５を介してコンソール４２に接続され、表示装置３６はディスプレイケーブル３７を介してコンソール４２に接続されている。
【００６９】
電子カセッテ３２には、無線通信を行うための送受信機３２Ａが設けられている。コンソール４２には、無線通信を行うための送受信機４２Ｃが設けられている。無線通信によって電子カセッテ３２とコンソール４２との間でデータの転送を行っている。
【００７０】
電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）とを用いて放射線Ｘを間接的に電荷に変換しても良い。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００７１】
また、ＴＦＴアクティブマトリクス基板６６上には、光電変換層で発生された電荷を蓄積する蓄積容量６８と、蓄積容量６８に蓄積された電荷を読み出すためのＴＦＴ７０とを備えた画素部７４（図４では個々の画素部７４に対応する光電変換層を光電変換部７２として模式的に示している）がマトリクス状に多数個配置されている。電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００７２】
また、ＴＦＴアクティブマトリクス基板６６には、一定方向（行方向）に延設され、かつ、個々の画素部７４のＴＦＴ７０をオンオフさせるための複数本のゲート配線７６と、ゲート配線７６と直交する方向（列方向）に延設され、かつ、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、電荷信号としてデータ配線７８を伝送されて信号処理部８２に入力される。従って、個々の画素部７４の蓄積容量６８に蓄積されている電荷は行単位で順に読み出される。
【００７３】
図５には、本実施の形態に係る放射線検出器６０の１画素部分に注目した等価回路図が示されている。
【００７４】
同図に示すように、ＴＦＴ７０のソースは、データ配線７８に接続されており、このデータ配線７８は、信号処理部８２に接続されている。また、ＴＦＴ７０のドレインは蓄積容量６８及び光電変換部７２に接続され、ＴＦＴ７０のゲートはゲート配線７６に接続されている。
【００７５】
信号処理部８２は、個々のデータ配線７８毎にサンプルホールド回路８４を備えている。個々のデータ配線７８を伝送された電荷信号はサンプルホールド回路８４に保持される。サンプルホールド回路８４はオペアンプ８４Ａとコンデンサ８４Ｂを含んで構成され、電荷信号をアナログ電圧に変換する。また、サンプルホールド回路８４には、オンすることにより、コンデンサ８４Ｂの両電極をショートさせて、コンデンサ８４Ｂに蓄積された電荷を放電させるリセット回路としてスイッチ８４Ｃが設けられている。
【００７６】
サンプルホールド回路８４の出力側には、マルチプレクサ８６、Ａ／Ｄ変換器８８が順に接続されており、個々のサンプルホールド回路８４に保持された電荷信号は、アナログ電圧に変換されてマルチプレクサ８６に順に（シリアルに）入力され、Ａ／Ｄ変換器８８によってデジタルの画像情報へ変換される。
【００７７】
信号処理部８２にはフレームメモリ９０が接続されており（図４参照。）、信号処理部８２のＡ／Ｄ変換器８８から出力された画像情報はフレームメモリ９０に順に記憶される。フレームメモリ９０は、放射線画像を示す画像情報を１フレーム分記憶可能な記憶容量を有しており、１ラインずつ電荷の読み出しが行われる毎に、読み出された１ライン分の画像情報がフレームメモリ９０に順次記憶される。
【００７８】
なお、本実施の形態に係る放射線検出器６０、ゲート線ドライバ８０、信号処理部８２、及びフレームメモリ９０は、本発明の電子回路に対応している。
【００７９】
フレームメモリ９０は電子カセッテ３２全体の動作を制御するカセッテ制御部９２と接続されている。カセッテ制御部９２はマイクロコンピュータによって実現されており、通信制御部９４が接続されている。この通信制御部９４は、送受信機３２Ａに接続されており、送受信機３２Ａを介して、無線通信により外部機器との間で各種情報の伝送を制御する。カセッテ制御部９２は、通信制御部９４を介して外部機器との間で各種情報の送受信が可能とされている。カセッテ制御部９２は、コンソール４２から受信される後述する撮影制御情報を記憶し、当該情報に基づいて電荷の蓄積を行い、電荷の読み出しを開始する。
【００８０】
また、電子カセッテ３２には、例えば、マイクによって構成され、外部からの音が入力される音入力部９５を備えている。音入力部９５は、音入力部９５から入力された音から、撮影装置３４の動作と同期をとるための音を検出する同期音検出部９７に接続されている。本実施の形態では、同期をとるための音として、超音波が用いられており、また、同期を取るための音として、複数種類の音が定められており、これらの音は、各々音の周波数帯域が異なっている。同期音検出部９７は、入力された音から、超音波を検出し、検出した超音波の周波数帯域を判定して、入力された同期をとるための音の種類を識別する。
【００８１】
また、同期音検出部９７は、カセッテ制御部９２に接続されている。カセッテ制御部９２は、同期音検出部９７によって検出された同期をとるための音に基づいて、放射線検出器６０の動作を制御する。
【００８２】
また、電子カセッテ３２には電源部９６が設けられており、上述した各種回路や各素子(ゲート線ドライバ８０、信号処理部８２、フレームメモリ９０、音入力部９５、及び通信制御部９４や同期音検出部９７、カセッテ制御部９２として機能するマイクロコンピュータ)は、電源部９６から供給された電力によって作動する。電源部９６は、電子カセッテ３２の可搬性を損なわないように、バッテリ（充電可能な二次電池）を内蔵しており、充電されたバッテリから各種回路・素子へ電力を供給する。
【００８３】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００８４】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、接続端子４２Ａに接続され、接続端子４２Ａ及び通信ケーブル３５を介して撮影装置３４との間で後述する曝射条件や撮影装置３４の状態情報等の各種情報の送受信を行う通信インタフェース（Ｉ／Ｆ）部１１６と、送受信機４２Ｃに接続され、送受信機４２Ｃを介して電子カセッテ３２との間で撮影制御情報や画像情報等の各種情報の送受信を行う通信制御部１１８と、接続端子４２Ｂに接続され、接続端子４２Ｂ及びディスプレイケーブル３７を介して表示装置３６に対して画像信号を出力する画像信号出力部１２０と、を備えている。
【００８５】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、通信制御部１１８、及び画像信号出力部１２０は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した撮影装置３４との各種情報の送受信の制御、通信制御部１１８を介した電子カセッテ３２との各種情報の送受信の制御、及び画像信号出力部１２０を介した表示装置３６に表示される画像の制御、を行うことができる。また、ＣＰＵ１０４は、操作入力検出部１１４を介して操作パネル１０２に対するユーザの操作状態を把握することができる。
【００８６】
一方、撮影装置３４は、放射線Ｘを出力する放射線源１３０と、コンソール４２との間で曝射条件や撮影装置３４の状態情報等の各種情報を送受信する通信Ｉ／Ｆ部１３２と、受信した曝射条件に基づいて放射線源１３０を制御する線源制御部１３４と、スピーカ１３６と、電子カセッテ３２の動作を放射線源１３０の動作と同期させるための音をスピーカ１３６から出力させる音出力制御部１３８とを備えている。
【００８７】
音出力制御部１３８は、線源制御部１３４に接続されており、線源制御部１３４によって放射線源１３０による放射線の照射が開始される前に、第１の周波数帯域の超音波を出力するようにスピーカ１３６を制御し、線源制御部１３４によって放射線源１３０による放射線の照射が開始されるときに、第１の周波数帯域とは異なる第２の周波数帯域の超音波を出力するようにスピーカ１３６を制御する。
【００８８】
線源制御部１３４は、マイクロコンピュータによって実現されており、受信した曝射条件を記憶し、記憶した曝射条件に基づいて放射線源１３０から放射線Ｘを照射させる。
【００８９】
また、表示装置３６は、受信した画像信号により示される画像を表示する表示部３６Ａを備えている。
【００９０】
次に、第１の実施の形態に係るＲＩＳ１０の全体的な動作について簡単に説明する。
【００９１】
入力端末１２（図１参照。）は、医師２６又は放射線技師からの撮影依頼を受け付ける。当該撮影依頼では、電子カセッテ３２による撮影の日時及び撮影条件（撮影の部位、角度及び枚数、放射線Ｘを照射するための管電圧、管電流、及び照射時間、並びに電子カセッテ３２のサイズ及び感度等）が指定される。
【００９２】
入力端末１２は、受け付けた撮影依頼の内容をＲＩＳサーバ１４に通知する。ＲＩＳサーバ１４は、入力端末１２から通知された撮影依頼の内容をデータベース２８に記憶する。
【００９３】
コンソール４２は、ＲＩＳサーバ１４にアクセスすることにより、ＲＩＳサーバ１４から撮影依頼の内容を取得し、撮影依頼の内容をディスプレイ１００（図２及び図４参照。）に表示する。
【００９４】
医師２６や放射線技師がディスプレイ１００に表示された撮影依頼の内容に基づいて放射線画像の撮影を開始する。
【００９５】
例えば、図２に示すように、手術台４６上に横臥した患者３０の患部の放射線画像の撮影を行う場合、医師２６や放射線技師は、撮影の部位、角度に応じて手術台４６と患者３０の患部との間に電子カセッテ３２を配置すると共に、患部上方に撮影装置３４を配置する。また、医師２６や放射線技師は、患者３０の撮影部位や撮影条件に応じてコンソール４２の操作パネル１０２に対して放射線Ｘを照射する際の管電圧、管電流、照射時間等の曝射条件を指定する曝射条件指定操作を行う。医師２６や放射線技師は、撮影装置３４の曝射準備が完了すると、コンソール４２の操作パネル１０２に対して撮影を指示する撮影指示操作を行う。
【００９６】
次に、第１の実施の形態に係る撮影システム１８の動作について詳細に説明する。図６には、撮影システム１８により放射線画像を撮影する際の動作の流れを示すタイミングチャートが示されている。
【００９７】
電子カセッテ３２は、電源がオンされた状態（立ち上げた状態）では動作モードが初期状態である非動作状態（ＮＯＰ状態）となっており、コンソール４２から送受信機３２Ａを介して受信される指示情報に基づいて動作する。
【００９８】
ところで、電子カセッテ３２の内蔵された放射線検出器６０（図４参照。）は、電子カセッテ３２の電源がオン状態の場合、放射線Ｘが照射されていない状態であっても暗電流等により各蓄積容量６８に電荷が蓄積される。このため、カセッテ制御部９２は、動作モードが非動作状態の場合、信号処理部８２に対してリセットを指示する指示信号を出力している。信号処理部８２は、リセットを指示する指示信号が入力されると、スイッチ８４Ｃ（図５参照。）がオンになってコンデンサ８４Ｂの両電極をショートさせる。このようにコンデンサ８４Ｂの両電極をショートさせることによってコンデンサ８４Ｂに不要に蓄積された電荷が放出される。
【００９９】
コンソール４２は、まず、リセットモードでの動作を指示する指示情報Ｃ１を、送受信機４２Ｃを介して電子カセッテ３２へ送信する。
【０１００】
カセッテ制御部９２は、リセットモードでの動作を指示する指示情報Ｃ１を受信すると、動作モードをリセットモードへ移行し、ゲート線ドライバ８０を制御してゲート線ドライバ８０から１ラインずつ順に各ゲート配線７６にＯＮ信号を出力させて、各ゲート配線７６に接続された各ＴＦＴ３６を１ラインずつ順にＯＮさせる。これにより、１ラインずつ順に各蓄積容量６８に蓄積された電荷が電荷信号として各データ配線７８に流れ出す。カセッテ制御部９２は、動作モードがリセットモードである間、１ラインずつ順に各ゲート配線７６にＯＮ信号を出力させて各蓄積容量６８に蓄積された電荷を１フレーム分リセットするリセット動作を繰り返す。
【０１０１】
コンソール４２は、操作パネル１０２に対して曝射条件指定操作が行われると、曝射条件指定操作で指定された管電圧、管電流、照射時間等の曝射条件情報Ｃ２を、通信ケーブル３５を介して撮影装置３４へ送信する。また、コンソール４２は、放射線画像の撮影の際、放射線検出器６０の各蓄積容量６８に電荷を蓄積させる蓄積時間等の撮影制御情報Ｃ３を、送受信機４２Ｃを介して電子カセッテ３２へ送信する。
【０１０２】
撮影装置３４は、電源がオンされて所定の初期起動動作が完了すると、動作状態がスリープ状態となって待機している。撮影装置３４は、曝射条件情報Ｃ２を受信すると、受信した曝射条件情報を記憶すると共に、動作状態を駆動状態へ移行する。撮影装置３４は、動作状態が駆動状態に復帰すると、撮影準備完了を示す情報Ｃ４を、通信ケーブル３５を介してコンソール４２へ送信する。
【０１０３】
電子カセッテ３２のカセッテ制御部９２は、撮影制御情報Ｃ３を受信すると、受信した当該撮影制御情報を記憶する。
【０１０４】
コンソール４２は、撮影準備完了を示す情報Ｃ４を受信すると、撮影準備が完了したことをディスプレイ１００に表示し、操作パネル１０２に対する撮影を指示する撮影指示操作が可能となる。本実施の形態に係る撮影システム１８では、操作パネル１０２に対する撮影指示操作を２段階の操作としており、操作パネル１０２に対して１段階目の撮影指示操作の後に２段階目の撮影指示操作が行われることにより放射線画像の撮影が行われる。この２段階の撮影指示操作は、例えば、操作パネル１０２の２つのボタンを順に押下するものでもあってもよく、また、例えば、１つのボタンに対する半押、全押であってもよい。
【０１０５】
コンソール４２は、操作パネル１０２に対して１段階目の撮影指示操作が行われると、曝射用意を指示する指示情報Ｃ５を、通信ケーブル３５を介して撮影装置３４へ送信する。
【０１０６】
撮影装置３４は、曝射用意を指示する指示情報Ｃ５が受信されると、直前に記憶した曝射条件情報により示される管電圧、管電流での曝射が行われるように放射線源１３０のスタンバイを行う。撮影装置３４は、放射線源１３０のスタンバイが完了すると、スタンバイ完了を示す情報Ｃ６を、通信ケーブル３５を介してコンソール４２へ送信する。
【０１０７】
コンソール４２は、スタンバイ完了を示す情報Ｃ６を受信すると、２段階目の撮影指示操作が可能となる。コンソール４２は、操作パネル１０２に対して２段階目の撮影指示操作が行われると、撮影を要求する指示情報Ｃ７を、通信ケーブル３５を介して撮影装置３４へ送信する。
【０１０８】
撮影装置３４は、撮影を要求する指示情報Ｃ７を受信すると、スピーカ１３６から、予告音Ｃ８として第１の周波数帯域の超音波を出力する。そして、予告音Ｃ８を出力してから所定時間経過後に、撮影装置３４は、スピーカ１３６から、曝射音Ｃ９として第２の周波数帯域の超音波を出力すると共に、直前に記憶した曝射条件情報により示される照射時間だけ放射線源１３０から放射線Ｘを照射させる。
【０１０９】
なお、上記の所定時間には、電子カセッテ３２における１フレーム分のリセット動作が完了するまでにかかる時間以上の時間が予め設定されている。
【０１１０】
また、電子カセッテ３２のカセッテ制御部９２は、上記の撮影制御情報Ｃ３を受信すると、図７に示す撮影制御処理ルーチンを実現するプログラムを実行する。
【０１１１】
まず、ステップ１５０において、予告音を検出したか否かを判定する。音入力部９５及び同期音検出部９７を介して、第１の周波数帯域の超音波からなる予告音Ｃ８（図６参照）を検出すると、ステップ１５２へ進む。
【０１１２】
ステップ１５２では、１フレーム分のリセット動作が完了するまでリセット動作を行い、１フレーム分のリセット動作の完了後、ステップ１５４へ移行する。
【０１１３】
ステップ１５４では、曝射音を検出したか否かを判定する。音入力部９５及び同期音検出部９７を介して、第２の周波数帯域の超音波からなる曝射音Ｃ９（図６参照）を検出するまで待機し、曝射音Ｃ９を検出すると、放射線源１３０からの放射線Ｘの照射が開始されたと判断し、ステップ１５６へ進む。そして、ステップ１５６において、動作モードを撮影モードへ移行して、放射線検出器６０の各画素部７４の蓄積容量６８において、照射された放射線Ｘの線量に応じた電荷が蓄積されるように、放射線検出器６０を制御する。
【０１１４】
このとき、放射線源１３０から照射された放射線Ｘは、患者３０を透過した後に電子カセッテ３２に到達する。これにより、電子カセッテ３２に内蔵された放射線検出器６０の各画素部７４の蓄積容量６８には、照射された放射線Ｘの線量に応じた電荷が蓄積される。また、カセッテ制御部９２は、曝射音Ｃ９の検出後、直前に記憶した撮影制御情報で定められた蓄積時間だけ待機してから、放射線検出器６０の各画素部７４の蓄積容量６８における電荷の蓄積を終了して、ステップ１５８へ移行する。
【０１１５】
ステップ１５８では、放射線検出器６０の各画素部７４の蓄積容量６８に蓄積された電荷の読み出しを、以下のように行う。ゲート線ドライバ８０を制御してゲート線ドライバ８０から１ラインずつ順に各ゲート配線７６にＯＮ信号を出力させ、各ゲート配線７６に接続された各ＴＦＴ３６を１ラインずつ順にＯＮさせる。これにより、１ラインずつ順に各蓄積容量６８に蓄積された電荷が電荷信号として各データ配線７８に流れ出す。各データ配線７８に流れ出した電荷信号は個々のサンプルホールド回路８４に入力されてアナログ電圧信号に変換され、変換されたアナログ電圧信号がマルチプレクサ８６に順に（シリアルに）入力され、Ａ／Ｄ変換器８８によってデジタルの画像情報へ変換されて、フレームメモリ９０に記憶される。
【０１１６】
そして、ステップ１６０において、動作モードをリセットモードへ移行して、撮影制御処理ルーチンを終了する。
【０１１７】
カセッテ制御部９２は、１フレーム分の画像情報がフレームメモリ９０に記憶されると、フレームメモリ９０に記憶された１フレーム分の画像情報をシリアルデータに変換して送受信機３２Ａを介してコンソール４２へ送信する。
【０１１８】
なお、本実施の形態では、カセッテ制御部９２は、上記の撮影制御処理ルーチンによって、１フレーム分の電荷の読み出しが終了すると、連続撮影を行わないものとして、動作モードをリセットモードへ移行させることとしているが、連続撮影を行うものしてもよい。
【０１１９】
コンソール４２では、１フレーム分の画像情報を受信すると、１フレーム分の画像情報に対して所定の画像処理を施し、画像処理後の画像情報を患者３０の患者情報と関連付けられた状態でＨＤＤ１１０に記憶させる。また、コンソール４２は、画像処理後の放射線画像を示す画像信号を表示装置３６に対して出力して表示装置３６の表示部３６Ａに表示させる。医師２６は、表示部３６Ａに表示された放射線画像を確認しながら手術を遂行する。
【０１２０】
以上説明したように、第１の実施の形態によれば、電子カセッテにおいて、放射線源から放射線が照射開始されるときに入力される曝射音を検出すると、放射線検出器における電荷の蓄積を開始させることにより、簡易な構成で、放射線源からの放射線の照射タイミングと同期させて、放射線検出器において電荷を蓄積させることができる。
【０１２１】
また、予告音と曝射音とで、音の周波数帯域を変えることにより、予告音と曝射音とを電子カセッテ側で区別することができる。また、予告音や曝射音として、超音波を用いることにより、同期をとるための音として、他の音を誤って検出することを防止することができる。
【０１２２】
また、音波を同期信号として利用することで、無線通信における遅延のケアから開放されるとともに、他の無線方式で必要となる指向性へのケアが不要となるため、電子カセッテが人体の影に隠れていても、撮影装置の動作と同期して、電子カセッテを動作させることができる。
【０１２３】
なお、上記の実施の形態では、撮影装置側で、予告音を出力してから所定時間後に曝射音を出力する場合を例に説明したが、これに限定されるものではなく、電子カセッテにおいて、予告音を検出後、１フレーム分のリセット動作を完了したら、後述する第７の実施の形態と同様に、撮影開始を指示する情報をコンソールへ無線通信によって送信し、撮影装置が、曝射を指示する情報をコンソールから受信したときに、曝射音を出力するようにしてもよい。
【０１２４】
また、予告音や曝射音として超音波を出力する場合を例に説明したが、これに限定されるものではなく、例えば、肉声の周波数帯域とは異なる周波数帯域の音を出力するようにしてもよい。また、可聴帯域とは異なる周波数帯域の音を出力するようにしてもよい。これによって、患者などの人の声など、他の音を、同期をとるための音として誤って検出することを防止することができる。
【０１２５】
また、電子カセッテの同期音検出部において、予告音の第１の周波数帯域のみを通過させるフィルタと、曝射音の第２の周波数帯域のみを通過させるフィルタとを用いて、第１の周波数帯域の音からなる予告音、及び第２の周波数帯域の音からなる曝射音を検出するようにしてもよい。
【０１２６】
次に、第２の実施の形態について説明する。なお、第２の実施の形態に係る放射線情報システムの構成は、第１の実施の形態と同様の構成であるため、同一符号を付して説明を省略する。
【０１２７】
第２の実施の形態では、予告音と曝射音とについて、パルス周期を変えて出力している点が、第１の実施の形態と主に異なっている。
【０１２８】
撮影装置３４の音出力制御部１３８は、電子カセッテ３２の動作を放射線源１３０の動作と同期させるためのパルス音をスピーカ１３６から出力させる。音出力制御部１３８は、線源制御部１３４によって放射線源１３０による放射線の照射が開始される前に、第１のパルス周期のパルス音を出力するようにスピーカ１３６を制御し、線源制御部１３４によって放射線源１３０による放射線の照射が開始されるときに、第１のパルス周期とは異なる第２のパルス周期のパルス音を出力するようにスピーカ１３６を制御する。
【０１２９】
電子カセッテ３２の同期音検出部９７は、入力された音から、パルス音を検出し、検出したパルス音のパルス周期を判定して、入力された音から、第１のパルス周期のパルス音からなる予告音、又は第２のパルス周期のパルス音からなる曝射音を検出する。
【０１３０】
なお、第２の実施の形態に係る放射線情報システムの他の構成及び作用については、第１の実施の形態と同様であるため、説明を省略する。
【０１３１】
このように、予告音と曝射音とで、パルス音のパルス周期を変えることにより、予告音と曝射音とを電子カセッテ側で区別することができる。また、予告音や曝射音として、パルス音を用いることにより、同期をとるための音として、他の音を誤って検出することを防止することができる。
【０１３２】
なお、上記の実施の形態では、予告音及び曝射音の各々としてパルス音を出力する場合を例に説明したが、これに限定されるものではなく、例えば、予告音としてパルス音を出力し、曝射音として、なりっぱなしの音を出力するようにしてもよい。
【０１３３】
次に、第３の実施の形態について説明する。なお、第３の実施の形態に係る放射線情報システムの構成は、第１の実施の形態と同様の構成であるため、同一符号を付して説明を省略する。
【０１３４】
第３の実施の形態では、可聴帯域の音を出力している点と、予告音と曝射音とについて、各々異なる特徴的なパルス列からなる音に変調して出力している点とが、第１の実施の形態と主に異なっている。
【０１３５】
撮影装置３４の音出力制御部１３８は、電子カセッテ３２の動作を放射線源１３０の動作と同期させるための音として、可聴帯域の音をスピーカ１３６から出力させる。音出力制御部１３８は、線源制御部１３４によって放射線源１３０による放射線の照射が開始される前に、第１のパルス列からなる音に変調した音を出力するようにスピーカ１３６を制御し、線源制御部１３４によって放射線源１３０による放射線の照射が開始されるときに、第１のパルス列とは異なる第２のパルス列からなる音に変調した音を出力するようにスピーカ１３６を制御する。
【０１３６】
電子カセッテ３２の同期音検出部９７は、入力された音に対して、第１、２のパルス列に対応する復調を行う。同期音検出部９７は、第１のパルス列に対応する復調によって復調できた場合に、入力された音から、第１のパルス列に変調された音からなる予告音が検出されたと判断する。また、同期音検出部９７は、第２のパルス列に対応する復調によって復調できた場合に、入力された音から、第２のパルス列に変調された音からなる曝射音が検出されたと判断する。
【０１３７】
なお、第３の実施の形態に係る放射線情報システムの他の構成及び作用については、第１の実施の形態と同様であるため、説明を省略する。
【０１３８】
このように、予告音及び曝射音の各々として、変調した音を出力し、電子カセッテ側において、復調できた音のみを検出するようにすることにより、同期をとるための音として、他の音を誤って検出することを防止することができる。
【０１３９】
次に、第４の実施の形態について説明する。なお、第４の実施の形態に係る放射線情報システムの構成は、第１の実施の形態と同様の構成であるため、同一符号を付して説明を省略する。
【０１４０】
第４の実施の形態では、予告音と曝射音とについて、同じ周波数帯域の音を出力している点が、第１の実施の形態と主に異なっている。
【０１４１】
撮影装置３４の音出力制御部１３８は、電子カセッテ３２の動作を放射線源１３０の動作と同期させるための超音波をスピーカ１３６から出力させる。音出力制御部１３８は、線源制御部１３４によって放射線源１３０による放射線の照射が開始される前に、所定の周波数帯域の超音波を出力するようにスピーカ１３６を制御し、その後、所定時間、スピーカ１３６から音を出力させない状態で待機し、線源制御部１３４によって放射線源１３０による放射線の照射が開始されるときに、同じ周波数帯域の超音波を出力するようにスピーカ１３６を制御する。
【０１４２】
電子カセッテ３２の同期音検出部９７は、入力された音の周波数帯域を判定して、所定の周波数帯域であると判定されると、予告音が検出されたと判断する。そして、同期音検出部９７は、予告音を検出した後、音が検出されない状態を挟んで、所定の周波数帯域の超音波が検出されると、曝射音が検出されたと判断する。
【０１４３】
なお、第４の実施の形態に係る放射線情報システムの他の構成及び作用については、第１の実施の形態と同様であるため、説明を省略する。
【０１４４】
このように、予告音と曝射音との間に、音を出力しない状態を挟むことにより、予告音と曝射音とを電子カセッテ側で区別することができる。
【０１４５】
なお、上記の実施の形態では、予告音及び曝射音として、所定の周波数帯域の超音波を出力する場合を例に説明したが、これに限定されるものではなく、予告音及び曝射音として、所定のパルス周期のパルス音を出力するようにしてもよい。
【０１４６】
次に、第５の実施の形態について説明する。なお、第５の実施の形態に係る放射線情報システムの構成は、第１の実施の形態と同様の構成であるため、同一符号を付して説明を省略する。
【０１４７】
第５の実施の形態では、予告音と曝射音とについて、同じ周波数帯域の音を出力している点と、予告音と曝射音とを出力する間に、異なる周波数帯域の音を出力している点とが、第１の実施の形態と主に異なっている。
【０１４８】
撮影装置３４の音出力制御部１３８は、電子カセッテ３２の動作を放射線源１３０の動作と同期させるための超音波をスピーカ１３６から出力させる。音出力制御部１３８は、線源制御部１３４によって放射線源１３０による放射線の照射が開始される前に、予告音として、第１の周波数帯域の超音波を出力するようにスピーカ１３６を制御し、その後、所定時間、第１の周波数帯域とは異なる第２の周波数帯域の音を出力するようにスピーカ１３６を制御する。そして、音出力制御部１３８は、線源制御部１３４によって放射線源１３０による放射線の照射が開始されるときに、曝射音として、予告音と同じ第１の周波数帯域の超音波を出力するようにスピーカ１３６を制御する。
【０１４９】
電子カセッテ３２の同期音検出部９７は、まず、入力された音の周波数帯域を判定して、第１の周波数帯域であると判定されると、予告音が検出されたと判断する。そして、同期音検出部９７は、予告音を検出した後、入力された音から第２の周波数帯域の超音波が検出され、その後に、第１の周波数帯域の超音波が検出されると、曝射音が検出されたと判断する。
【０１５０】
なお、第５の実施の形態に係る放射線情報システムの他の構成及び作用については、第１の実施の形態と同様であるため、説明を省略する。
【０１５１】
このように、予告音と曝射音との間に、予告音及び曝射音の各々と周波数帯域が異なる音を出力することにより、予告音と曝射音とを電子カセッテ側で区別することができる。
【０１５２】
なお、上記の実施の形態では、予告音及び曝射音として、所定の周波数帯域の超音波を出力する場合を例に説明したが、これに限定されるものではなく、予告音及び曝射音として、所定のパルス周期のパルス音を出力するようにしてもよい。この場合には、予告音と曝射音との間に、予告音及び曝射音の各々とパルス周期が異なるパルス音を出力するようにすればよい。
【０１５３】
また、上記の第１の実施の形態〜第５の実施の形態では、放射線の照射を開始させるときに曝射音を出力する場合を例に説明したが、これに限定されるものではなく、放射線を照射している期間、曝射音を出力するようにしてもよい。
【０１５４】
次に、第６の実施の形態について説明する。なお、第１の実施の形態と同様の構成となっている部分については、同一符号を付して説明を省略する。
【０１５５】
第６の実施の形態では、電子カセッテ側から、曝射音を出力している点と、撮影装置側で、曝射音を検出すると放射線を照射している点とが、第１の実施の形態と主に異なっている。
【０１５６】
図８に示すように、第６の実施の形態に係る電子カセッテ６３２は、送受信機３２Ａと、放射線検出器６０と、ゲート線ドライバ８０と、信号処理部８２と、フレームメモリ９０と、カセッテ制御部９２と、通信制御部９４と、音入力部９５と、電源部９６と、同期音検出部９７と、スピーカ６２０と、スピーカ６２０からの音の出力を制御する音出力制御部６２２とを備えている。
【０１５７】
カセッテ制御部９２は、音入力部９５及び同期音検出部９７を介して、予告音としての超音波が検出されると、１フレーム分のリセット動作を完了するように放射線検出器６０を制御し、リセット動作が完了すると、音出力制御部６２２によって、曝射音として所定の周波数帯域の超音波をスピーカ６２０から出力させると共に、放射線検出器６０における電荷の蓄積を開始させる。
【０１５８】
撮影装置６３４は、放射線源１３０と、通信インタフェース部１３２と、線源制御部１３４と、スピーカ１３６と、音出力制御部１３８と、マイクで構成される音入力部６２４と、音入力部６２４から入力された音から、曝射音を検出する同期音検出部６２６とを備えている。
【０１５９】
線源制御部１３４は、スピーカ１３６から予告音としての超音波を出力させた後に、同期音検出部６２６によって、所定の周波数帯域の超音波が検出されると、曝射音が検出されたと判断し、放射線源１３０による放射線の照射を開始させる。
【０１６０】
次に、第６の実施の形態に係る撮影システム１８の動作について詳細に説明する。図９には、撮影システム１８により放射線画像を撮影する際の動作の流れを示すタイミングチャートが示されている。
【０１６１】
コンソール４２は、まず、リセットモードでの動作を指示する指示情報Ｃ１を、送受信機４２Ｃを介して電子カセッテ３２へ送信する。
【０１６２】
カセッテ制御部９２は、リセットモードでの動作を指示する指示情報Ｃ１を受信すると、動作モードをリセットモードへ移行し、リセット動作を行うようにゲート線ドライバ８０及び信号処理部８２を制御する。
【０１６３】
コンソール４２は、操作パネル１０２に対して曝射条件指定操作が行われると、曝射条件情報Ｃ２を、通信ケーブル３５を介して撮影装置３４へ送信する。また、コンソール４２は、撮影制御情報Ｃ３を、送受信機４２Ｃを介して電子カセッテ３２へ送信する。
【０１６４】
撮影装置３４は、電源がオンされて所定の初期起動動作が完了した後、スリープ状態となって待機しているときに、曝射条件情報Ｃ２を受信すると、受信した曝射条件情報を記憶すると共に、動作状態を駆動状態へ移行する。撮影装置３４は、動作状態が駆動状態に復帰すると、撮影準備完了を示す情報Ｃ４を、通信ケーブル３５を介してコンソール４２へ送信する。
【０１６５】
電子カセッテ３２のカセッテ制御部９２は、撮影制御情報Ｃ３を受信すると、受信した当該撮影制御情報を記憶する。
【０１６６】
コンソール４２は、撮影準備完了を示す情報Ｃ４を受信すると、撮影準備が完了したことをディスプレイ１００に表示し、操作パネル１０２に対して１段階目の撮影指示操作が行われると、曝射用意を指示する指示情報Ｃ５を、通信ケーブル３５を介して撮影装置３４へ送信する。
【０１６７】
撮影装置３４は、曝射用意を指示する指示情報Ｃ５が受信されると、放射線源１３０のスタンバイを行う。撮影装置３４は、放射線源１３０のスタンバイが完了すると、スタンバイ完了を示す情報Ｃ６を、通信ケーブル３５を介してコンソール４２へ送信する。
【０１６８】
コンソール４２は、スタンバイ完了を示す情報Ｃ６を受信すると、２段階目の撮影指示操作が可能となり、操作パネル１０２に対して２段階目の撮影指示操作が行われると、撮影を要求する指示情報Ｃ７を、通信ケーブル３５を介して撮影装置３４へ送信する。
【０１６９】
撮影装置３４は、撮影を要求する指示情報Ｃ７を受信すると、スピーカ１３６から、予告音Ｃ８として所定の周波数帯域の超音波を出力する。
【０１７０】
また、電子カセッテ６３２のカセッテ制御部９２は、上記の撮影制御情報Ｃ３を受信すると、図１０に示す撮影制御処理ルーチンを実現するプログラムを実行する。なお、第１の実施の形態と同様の処理については、同一符号を付して詳細な説明を省略する。
【０１７１】
まず、ステップ１５０において、予告音を検出したか否かを判定する。音入力部９５及び同期音検出部９７を介して、所定の周波数帯域の超音波からなる予告音Ｃ８（図８参照）を検出すると、ステップ１５２へ進む。
【０１７２】
ステップ１５２では、１フレーム分のリセット動作が完了するまでリセット動作を行い、１フレーム分のリセット動作の完了後、ステップ６５０へ移行する。
【０１７３】
ステップ６５０では、音出力制御部６２２及びスピーカ６２０を介して、所定の周波数帯域の超音波からなる曝射音Ｃ９（図８参照）を出力する。
【０１７４】
このとき、撮影装置６３４は、音入力部６２４及び同期音検出部６２６を介して、所定の周波数帯域の超音波を検出すると、曝射音を検出したと判断し、直前に記憶した曝射条件情報により示される照射時間だけ放射線源１３０から放射線Ｘを照射させる。
【０１７５】
そして、ステップ１５６において、動作モードを撮影モードへ移行し、放射線検出器６０の各画素部７４の蓄積容量６８において、直前に記憶した撮影制御情報で定められた蓄積時間だけ、照射された放射線Ｘの線量に応じた電荷が蓄積されるように、放射線検出器６０を制御する。次のステップ１５８では、放射線検出器６０の各画素部７４の蓄積容量６８に蓄積された電荷の読み出しを行う。そして、ステップ１６０において、動作モードをリセットモードへ移行して、撮影制御処理ルーチンを終了する。
【０１７６】
以上説明したように、第６の実施の形態によれば、放射線検出器において電荷の蓄積を開始するときに、電子カセッテ側から曝射音を出力し、撮影装置において、曝射音が検出されたときに、放射線源からの放射線の照射を開始することにより、簡易な構成で、放射線検出器における電荷の蓄積タイミングと同期させて、放射線源から放射線を照射させることができる。
【０１７７】
なお、上記の実施の形態において、予告音や曝射音として超音波を出力する場合を例に説明したが、これに限定されるものではなく、例えば、肉声の周波数帯域とは異なる周波数帯域の音や、可聴帯域とは異なる周波数帯域の音を出力するようにしてもよい。また、予告音や曝射音としてパルス音を出力するようにしてもよい。
【０１７８】
次に、第７の実施の形態について説明する。なお、第１の実施の形態と同様の構成となっている部分については、同一符号を付して説明を省略する。
【０１７９】
第７の実施の形態では、撮影装置側で、放射線の照射タイミングに応じて、光を発光している点と、電子カセッテ側で、受光した光に応じて、放射線検出器における電荷の蓄積を行っている点とが、第１の実施の形態と主に異なっている。
【０１８０】
図１１に示すように、第７の実施の形態に係る電子カセッテ７３２は、送受信機３２Ａと、放射線検出器６０と、ゲート線ドライバ８０と、信号処理部８２と、フレームメモリ９０と、カセッテ制御部９２と、通信制御部９４と、電源部９６と、赤外光に感度を有する受光素子で構成された受光部７９５とを備えている。
【０１８１】
カセッテ制御部９２は、コンソール４２から、撮影を要求する指示情報が受信されると、１フレーム分のリセット動作を完了するように放射線検出器６０を制御し、リセット動作が完了すると、撮影開始を指示する指示情報をコンソール４２へ送信する。その後、カセッテ制御部９２は、撮影装置７３４から、赤外光を受光すると、動作モードを撮影モードへ移行し、赤外光を受光している期間、電荷を蓄積するように放射線検出器６０を制御する。
【０１８２】
撮影装置７３４は、放射線源１３０と、通信インタフェース部１３２と、線源制御部１３４と、赤外光を発光する発光部７３６と、放射線源１３０による放射線の照射に合わせて、赤外光を発光するように制御する発光制御部７３８とを備えている。
【０１８３】
線源制御部１３４は、コンソール４２から曝射を指示する指示情報を受信すると、放射線源１３０による放射線の照射を開始させ、このとき、発光制御部７３８は、発光部７３６による赤外光の発光を開始させる。また、線源制御部１３４によって放射線源１３０から放射線を照射させている期間、発光制御部７３８は、発光部７３６によって赤外光を発光させる。
【０１８４】
図１２（Ａ）に示すように、撮影装置７３４において、放射線の照射面の周辺に発光部７３６が配置され、図１２（Ｂ）に示すように、発光部７３６の位置に対応して、電子カセッテ７３２の照射面５６の外側に受光部７９５が配置されている。
【０１８５】
次に、第７の実施の形態に係る撮影システム１８の動作について詳細に説明する。図１３には、撮影システム１８により放射線画像を撮影する際の動作の流れを示すタイミングチャートが示されている。
【０１８６】
コンソール４２は、まず、リセットモードでの動作を指示する指示情報Ｃ１を、送受信機４２Ｃを介して電子カセッテ３２へ送信する。
【０１８７】
カセッテ制御部９２は、リセットモードでの動作を指示する指示情報Ｃ１を受信すると、動作モードをリセットモードへ移行し、リセット動作を行うようにゲート線ドライバ８０を制御する。
【０１８８】
コンソール４２は、操作パネル１０２に対して曝射条件指定操作が行われると、曝射条件情報Ｃ２を、通信ケーブル３５を介して撮影装置３４へ送信する。また、コンソール４２は、撮影制御情報Ｃ３を、送受信機４２Ｃを介して電子カセッテ３２へ送信する。
【０１８９】
撮影装置３４は、電源がオンされて所定の初期起動動作が完了すると、動作状態がスリープ状態となって待機し、曝射条件情報Ｃ２を受信すると、受信した曝射条件情報を記憶すると共に、動作状態を駆動状態へ移行する。撮影装置３４は、動作状態が駆動状態に復帰すると、撮影準備完了を示す情報Ｃ４を、通信ケーブル３５を介してコンソール４２へ送信する。
【０１９０】
電子カセッテ３２のカセッテ制御部９２は、撮影制御情報Ｃ３を受信すると、受信した当該撮影制御情報を記憶する。
【０１９１】
コンソール４２は、撮影準備完了を示す情報Ｃ４を受信すると、撮影準備が完了したことをディスプレイ１００に表示し、操作パネル１０２に対して１段階目の撮影指示操作が行われると、曝射用意を指示する指示情報Ｃ５を、通信ケーブル３５を介して撮影装置３４へ送信する。
【０１９２】
撮影装置３４は、曝射用意を指示する指示情報Ｃ５が受信されると、直前に記憶した曝射条件情報により示される管電圧、管電流での曝射が行われるように放射線源１３０のスタンバイを行う。撮影装置３４は、放射線源１３０のスタンバイが完了すると、スタンバイ完了を示す情報Ｃ６を、通信ケーブル３５を介してコンソール４２へ送信する。
【０１９３】
コンソール４２は、スタンバイ完了を示す情報Ｃ６を受信すると、２段階目の撮影指示操作が可能となる。コンソール４２は、操作パネル１０２に対して２段階目の撮影指示操作が行われると、撮影を要求する指示情報Ｃ７を、送受信機４２Ｃを介して電子カセッテ７３２へ送信する。
【０１９４】
このとき、電子カセッテ７３２のカセッテ制御部９２は、上記の撮影制御情報Ｃ３を受信すると、図１４に示す撮影制御処理ルーチンを実現するプログラムを実行する。なお、第１の実施の形態と同様の処理については、同一符号を付して詳細な説明を省略する。
【０１９５】
まず、ステップ７５０において、コンソール４２から、撮影を要求する指示情報Ｃ７を受信したか否かを判定する。コンソール４２から撮影を要求する指示情報Ｃ７を受信すると、ステップ１５２へ進み、ステップ１５２では、１フレーム分のリセット動作が完了するまでリセット動作を行い、１フレーム分のリセット動作の完了後、ステップ７５２へ移行する。
【０１９６】
ステップ７５２では、コンソール４２へ、送受信機３２Ａを介して、撮影開始を指示する指示情報（図１３のＣ８参照）を送信する。このとき、コンソール４２は、上記図１３に示すように、撮影開始を指示する指示情報Ｃ８を受信すると、曝射を指示する指示情報Ｃ９を、通信ケーブル３５を介して撮影装置７３４へ送信する。撮影装置７３４は、曝射を指示する指示情報Ｃ９を受信すると、放射線Ｘを照射すると共に、放射線Ｘを照射している間、発光部７３６から赤外光を発光させる。
【０１９７】
ステップ７５４では、赤外光を受光したか否かを判定し、赤外光を受光するまで待機し、受光部７９５によって赤外光を受光したと判定されると、ステップ７５６へ進む。
【０１９８】
そして、ステップ７５６において、動作モードを撮影モードへ移行し、放射線検出器６０の各画素部７４の蓄積容量６８において、照射された放射線Ｘの線量に応じた電荷の蓄積が開始されるように、放射線検出器６０を制御する。
【０１９９】
次のステップ７５８では、赤外光を受光したか否かを判定し、受光部７９５によって赤外光を受光している間は、放射線検出器６０による電荷の蓄積を継続させる。上記ステップ７５８において、赤外光を受光していないと判定されると、放射線の照射が終了したと判断して、ステップ１５８へ進む。
【０２００】
ステップ１５８では、放射線検出器６０による電荷の蓄積を終了させて、放射線検出器６０の各画素部７４の蓄積容量６８に蓄積された電荷の読み出しを行う。そして、ステップ１６０において、動作モードをリセットモードへ移行して、撮影制御処理ルーチンを終了する。
【０２０１】
以上説明したように、第７の実施の形態によれば、電子カセッテ側において、放射線源から放射線が照射されている期間に撮影装置側から発光される赤外光を受光して、放射線検出器における電荷の蓄積を行なうことにより、簡易な構成で、放射線源からの放射線の照射タイミングと同期させて、放射線検出器において電荷を蓄積させることができる。
【０２０２】
また、光を同期信号として利用することで、無線通信における遅延のケアから開放され、撮影装置の動作と同期して、電子カセッテを動作させることができる。
【０２０３】
なお、上記の実施の形態では、撮影装置において、放射線を照射している期間、赤外光を発光する場合を例に説明したが、これに限定されるものではなく、放射線の照射を開始させるときに赤外光を発光するようにしてもよい。この場合には、電子カセッテ側において、赤外光を受光すると、電荷の蓄積を開始し、撮影制御情報が示す蓄積時間だけ、電荷の蓄積を行うようにすればよい。
【０２０４】
次に、第８の実施の形態について説明する。なお、第１の実施の形態と同様の構成となっている部分については、同一符号を付して説明を省略する。
【０２０５】
第８の実施の形態では、電子カセッテ側で、電荷の蓄積タイミングに応じて、光を発光している点と、撮影装置側で、受光した光に応じて、放射線の照射を行っている点とが、第７の実施の形態と主に異なっている。
【０２０６】
図１５に示すように、第８の実施の形態に係る電子カセッテ８３２は、送受信機３２Ａと、放射線検出器６０と、ゲート線ドライバ８０と、信号処理部８２と、フレームメモリ９０と、カセッテ制御部９２と、通信制御部９４と、電源部９６と、赤外光を発光する発光部８９５と、放射線検出器６０による電荷の蓄積に合わせて、赤外光を発光するように制御する発光制御部８９７とを備えている。
【０２０７】
カセッテ制御部９２は、コンソール４２から、撮影を要求する指示情報が受信されると、１フレーム分のリセット動作を完了するように放射線検出器６０を制御し、リセット動作が完了すると、動作モードを撮影モードへ移行し、電荷を蓄積するように放射線検出器６０を制御する。また、放射線検出器６０によって電荷を蓄積させている間、発光制御部８９７によって、発光部８９５によって赤外光を発光させる。
【０２０８】
撮影装置８３４は、放射線源１３０と、通信インタフェース部１３２と、線源制御部１３４と、赤外光に感度を有する受光素子で構成された受光部８３６とを備えている。
【０２０９】
線源制御部１３４は、電子カセッテ８３２からの赤外光を受光部８３６によって受光すると、放射線源１３０による放射線の照射を開始させ、直前に記憶した曝射条件情報により示される照射時間だけ放射線源１３０から放射線を照射させる。
【０２１０】
また、撮影装置８３４において、放射線の照射面の周辺に受光部８３６が配置され、受光部８３６の位置に対応して、電子カセッテ８３２の照射面５６の外側に発光部８９５が配置されている。
【０２１１】
次に、第８の実施の形態に係る撮影システム１８の動作について詳細に説明する。図１６には、撮影システム１８により放射線画像を撮影する際の動作の流れを示すタイミングチャートが示されている。
【０２１２】
コンソール４２は、まず、リセットモードでの動作を指示する指示情報Ｃ１を、送受信機４２Ｃを介して電子カセッテ３２へ送信する。
【０２１３】
カセッテ制御部９２は、リセットモードでの動作を指示する指示情報Ｃ１を受信すると、動作モードをリセットモードへ移行し、リセット動作を行うようにゲート線ドライバ８０及び信号処理部８２を制御する。
【０２１４】
コンソール４２は、操作パネル１０２に対して曝射条件指定操作が行われると、曝射条件情報Ｃ２を、通信ケーブル３５を介して撮影装置３４へ送信する。また、コンソール４２は、撮影制御情報Ｃ３を、送受信機４２Ｃを介して電子カセッテ３２へ送信する。
【０２１５】
撮影装置３４は、電源がオンされて所定の初期起動動作が完了すると、動作状態がスリープ状態となって待機し、曝射条件情報Ｃ２を受信すると、受信した曝射条件情報を記憶すると共に、動作状態を駆動状態へ移行する。撮影装置３４は、動作状態が駆動状態に復帰すると、撮影準備完了を示す情報Ｃ４を、通信ケーブル３５を介してコンソール４２へ送信する。
【０２１６】
電子カセッテ３２のカセッテ制御部９２は、撮影制御情報Ｃ３を受信すると、受信した当該撮影制御情報を記憶する。
【０２１７】
コンソール４２は、撮影準備完了を示す情報Ｃ４を受信すると、撮影準備が完了したことをディスプレイ１００に表示し、操作パネル１０２に対して１段階目の撮影指示操作が行われると、曝射用意を指示する指示情報Ｃ５を、通信ケーブル３５を介して撮影装置３４へ送信する。
【０２１８】
撮影装置３４は、曝射用意を指示する指示情報Ｃ５が受信されると、放射線源１３０のスタンバイを行う。撮影装置３４は、放射線源１３０のスタンバイが完了すると、スタンバイ完了を示す情報Ｃ６を、通信ケーブル３５を介してコンソール４２へ送信する。
【０２１９】
コンソール４２は、スタンバイ完了を示す情報Ｃ６を受信すると、２段階目の撮影指示操作が可能となる。コンソール４２は、操作パネル１０２に対して２段階目の撮影指示操作が行われると、撮影を要求する指示情報Ｃ７を、送受信機４２Ｃを介して電子カセッテ７３２へ送信する。
【０２２０】
このとき、電子カセッテ８３２のカセッテ制御部９２は、上記の撮影制御情報Ｃ３を受信すると、図１７に示す撮影制御処理ルーチンを実現するプログラムを実行する。なお、第１の実施の形態及び第７の実施の形態と同様の処理については、同一符号を付して詳細な説明を省略する。
【０２２１】
まず、ステップ７５０において、コンソール４２から、撮影を要求する指示情報Ｃ７を受信したか否かを判定する。コンソール４２から撮影を要求する指示情報Ｃ７を受信すると、ステップ１５２へ進み、ステップ１５２では、１フレーム分のリセット動作が完了するまでリセット動作を行い、１フレーム分のリセット動作の完了後、ステップ８５０へ移行する。
【０２２２】
ステップ８５０では、直前に受信した撮影制御情報Ｃ３が示す蓄積時間の間、発光部８９５から赤外光を発光させると共に、動作モードを撮影モードへ移行して、放射線検出器６０の各画素部７４の蓄積容量６８において、蓄積時間の間、照射された放射線Ｘの線量に応じた電荷が蓄積されるように、放射線検出器６０を制御する。
【０２２３】
このとき、撮影装置３４において、受光部８３６によって赤外光を受光すると、直前に記憶した曝射条件情報により示される照射時間だけ放射線源１３０から放射線Ｘを照射させる。
【０２２４】
そして、ステップ１５８において、放射線検出器６０の各画素部７４の蓄積容量６８に蓄積された電荷の読み出しを行う。次のステップ１６０において、動作モードをリセットモードへ移行して、撮影制御処理ルーチンを終了する。
【０２２５】
以上説明したように、第８の実施の形態によれば、放射線検出器における電荷の蓄積を開始するときに、撮影装置側から赤外光を発光し、撮影装置において赤外光が受光されたときに、放射線源からの放射線の照射を開始することにより、簡易な構成で、放射線検出器における電荷の蓄積タイミングと同期させて、放射線源から放射線を照射させることができる。
【０２２６】
なお、上記の実施の形態では、電荷を蓄積している間に、赤外光を発光している場合を例に説明したが、これに限定されるものではなく、電荷の蓄積を開始するときに、赤外光を発光するようにしてもよい。
【０２２７】
また、上記の第７の実施の形態及び第８の実施の形態では、赤外光を発光する場合を例に説明したが、これに限定されるものではなく、例えば、可視光を発光するようにしてもよい。この場合には、受光部を、可視光に感度を有する受光素子を用いて構成すればよい。
【０２２８】
また、上記の第１の実施の形態〜第８の実施の形態では、撮影装置とコンソールとの間で、通信ケーブルを介して各種情報の送受信を行う場合を例に説明したが、撮影装置とコンソールとの間で、無線通信によって各種情報の送受信を行うようにしてもよい。
【図面の簡単な説明】
【０２２９】
【図１】本発明の第１の実施の形態に係る放射線情報システムの構成を示すブロック図である。
【図２】本発明の第１の実施の形態に係る放射線画像撮影システムが設置された手術室の様子を示す図である。
【図３】本発明の第１の実施の形態に係る電子カセッテの内部構成を示す斜視図である。
【図４】本発明の第１の実施の形態に係る放射線画像撮影システムの詳細な構成を示すブロック図である。
【図５】本発明の第１の実施の形態に係る放射線検出器の１画素部分に注目した等価回路図である。
【図６】本発明の第１の実施の形態に係る放射線画像を撮影する際の動作の流れ示すタイミングチャートである。
【図７】本発明の第１の実施の形態に係る電子カセッテにおける撮影制御処理ルーチンの内容を示すフローチャートである。
【図８】本発明の第６の実施の形態に係る放射線画像撮影システムの詳細な構成を示すブロック図である。
【図９】本発明の第６の実施の形態に係る放射線画像を撮影する際の動作の流れ示すタイミングチャートである。
【図１０】本発明の第６の実施の形態に係る電子カセッテにおける撮影制御処理ルーチンの内容を示すフローチャートである。
【図１１】本発明の第７の実施の形態に係る放射線画像撮影システムの詳細な構成を示すブロック図である。
【図１２】（Ａ）撮影装置に発光部が配置されている様子を示す図、及び（Ｂ）電子カセッテに受光部が配置されている様子を示す図である。
【図１３】本発明の第７の実施の形態に係る放射線画像を撮影する際の動作の流れ示すタイミングチャートである。
【図１４】本発明の第７の実施の形態に係る電子カセッテにおける撮影制御処理ルーチンの内容を示すフローチャートである。
【図１５】本発明の第８の実施の形態に係る放射線画像撮影システムの詳細な構成を示すブロック図である。
【図１６】本発明の第８の実施の形態に係る放射線画像を撮影する際の動作の流れ示すタイミングチャートである。
【図１７】本発明の第８の実施の形態に係る電子カセッテにおける撮影制御処理ルーチンの内容を示すフローチャートである。
【符号の説明】
【０２３０】
１０   放射線情報システム
１８   放射線画像撮影システム
３２Ａ 送受信機
３２、６３２、７３２、８３２  電子カセッテ
３４、６３４、７３４、８３４  撮影装置
４２   コンソール
４２Ｃ 送受信機
６０   放射線検出器
８０   ゲート線ドライバ
８２   信号処理部
９２   カセッテ制御部
９４   通信制御部
９５、６２４  音入力部
９７、６２６  同期音検出部
１１８ 通信制御部
１３０ 放射線源
１３４ 線源制御部
１３６、６２０  スピーカ
１３８、６２２  音出力制御部
７３６、８９５  発光部
７３８、８９７  発光制御部
７９５、８３６  受光部
【図１】
2010046145.tif 000003
【図２】
2010046145.tif 000004
【図３】
2010046145.tif 000005
【図４】
2010046145.tif 000006
【図５】
2010046145.tif 000007
【図６】
2010046145.tif 000008
【図７】
2010046145.tif 000009
【図８】
2010046145.tif 000010
【図９】
2010046145.tif 000011
【図１０】
2010046145.tif 000012
【図１１】
2010046145.tif 000013
【図１２】
2010046145.tif 000014
【図１３】
2010046145.tif 000015
【図１４】
2010046145.tif 000016
【図１５】
2010046145.tif 000017
【図１６】
2010046145.tif 000018
【図１７】
2010046145.tif 000019